(57)【要約】【課題】  映像表示装置６０におけるガンマ補正等の調整作業の能率化、調整時間の短縮、及び調整精度の向上を図る。【解決手段】  映像表示装置６０は、映像信号補正部６１、映像表示部６２、調整用映像信号供給部６３、補正情報調整部６４及び復元情報記憶部６５を有している。映像信号補正部６１は、原映像信号を入力されて該原映像信号を補正情報に基づき補正した補正映像信号を生成する。映像表示部６２は、補正映像信号に基づく映像画面を表示する。調整用映像信号供給部６３は、補正情報調整期間に、補正情報調整用の原映像信号を映像信号補正部に供給する。補正情報調整部６４は、補正情報調整用の原映像信号に対して映像信号補正部が出力した補正映像信号の値が適正値となるように補正情報を調整する。復元情報記憶部６５は、補正映像信号の値が適正値となった時の補正情報を記憶する。【選択図】      図１０
2006322972.tif 000002
【特許請求の範囲】
【請求項１】
原映像信号を入力されて該原映像信号を補正情報に基づき補正した補正映像信号を生成する映像信号補正部、及び
前記補正映像信号に基づく映像画面を表示する映像表示部、
を有している映像表示装置において、
補正情報調整期間に、補正情報調整用の原映像信号を前記映像信号補正部に供給する調整用映像信号供給部、
補正情報調整用の原映像信号に対して前記映像信号補正部が出力した補正映像信号の値が適正値となるように補正情報を調整する補正情報調整部、及び
前記補正映像信号の値が適正値となった時の補正情報の復元情報を記憶する復元情報記憶部、
を有していることを特徴とする映像表示装置。
【請求項２】
補正情報とは、ＲＧＢの振幅、ガンマ補正、ホワイトバランス、及び／又はＶＣＯＭの振幅に係る補正情報であることを特徴とする請求項１記載の映像表示装置。
【請求項３】
前記補正情報が、ＲＧＢの振幅、ガンマ補正、ホワイトバランス、及びＶＣＯＭの振幅に係る補正情報を含む場合には、前記補正情報調整部は、ＲＧＢの振幅、ガンマ補正、ホワイトバランス、及びＶＣＯＭの振幅の順番に補正情報の調整を行うことを特徴とする請求項２記載の映像表示装置。
【請求項４】
前記調整用映像信号供給部は、ＯＳＤ用又はグラフィック用の映像信号を出力する映像信号出力部であることを特徴とする請求項１〜３のいずれかに記載の映像表示装置。
【請求項５】
前記映像表示部の映像画面において、上下方向へ連続する複数個の水平走査ラインを１個のライン群として、１個の映像画面について複数個のライン群を設定し、
各ライン群に、それぞれ異なる輝度レベルを割り当て、
補正情報調整用の補正映像信号における各ライン群の水平走査ラインは、該ライン群に割り当てられている輝度レベルを維持するものとなっていることを特徴とする請求項１〜４のいずれかに記載の映像表示装置。
【請求項６】
前記映像信号補正部及び前記補正情報調整部はそれぞれ別体の第１及び第２の半導体チップに含まれ、
前記復元情報記憶部は、前記第１及び前記第２の半導体チップとは別体の不揮発性メモリであり、
前記補正情報は、前記第１の半導体チップ内のレジスタのデータとして存在し、
前記補正情報調整部は、ユーザにおける前記映像表示装置の使用時には、前記不揮発性メモリの前記復元情報に基づき、前記レジスタに補正情報を復元することを特徴とする請求項１〜５のいずれかに記載の映像表示装置。
【発明の詳細な説明】
【技術分野】
【０００１】
本発明は、カラーＬＣＤ等の映像表示装置に係り、詳しくはガンマ補正等を調整する機能を装備する映像表示装置に関するものである。
【背景技術】
【０００２】
カラーＬＣＤでは、工場出荷前に、ガンマ補正及びホワイトバランス等の調整が行われる。それらの調整値は、カラーＬＣＤごとにばらつきがあるので、各カラーＬＣＤは、個々に、ガンマ補正及びホワイトバランス等を調整される必要がある。
【０００３】
図１１〜図１３は従来の各カラーＬＣＤをその調整作業装置と共に示す図である。なお、図１３の調整作業装置は特許文献１に開示されているものである。また、図１１〜図１３の各カラーＬＣＤの各素子について、本発明の最良の形態の項で後述するカラーＬＣＤ１０の素子と同一のものは、カラーＬＣＤ１０の素子に付けている符号と同一の符号を付すとともに、それらの説明は省略し、主要点について説明する。
【０００４】
図１１のカラーＬＣＤ１００に対するガンマ補正等の調整作業では、信号発生器１０８及び調整用治具１１０が必要になる。作業者１０５は、信号発生器１０８及びカラーＬＣＤ１００の所定の端子同士を接続し、信号発生器１０８からのＲ（赤），Ｇ（緑），Ｂ（青），ＳＹＮＣ（同期）の各信号がガンマ補正・ホワイトバランス調整部２２の対応入力端子へ入力されるようにする。作業者１０５は、また、カラーＬＣＤ１００の治具接続Ｉ／Ｆ１０１と調整用治具１１０のオシロスコープ１１１とを接続し、治具接続Ｉ／Ｆ１０１を介してオシロスコープ１１１へＶＲ，ＶＧ，ＶＢ，ＶＣＯＭを入力させる。
【０００５】
作業者１０５は、オシロスコープ１１１の表示を見ながら、カラーＬＣＤ１００のボリューム抵抗１０２を手動操作する。ボリューム抵抗１０２は、液晶用映像信号処理ＩＣ１２のレジスタ値を調整するものであり、ガンマ補正・ホワイトバランス調整部２２は、Ｒ，Ｇ，Ｂの信号について、レジスタ値に基づきガンマ補正等の補正を行い、それらの補正後の信号としてのＶＲ，ＶＧ，ＶＢを出力する。こうして、作業者１０５は、オシロスコープ１１１の測定値等が適正値になるように、ボリューム抵抗１０２を操作し、適正値になりしだい、ボリューム抵抗１０２の操作を終了する。
【０００６】
図１２のカラーＬＣＤ１２０では、調整用治具１２４は、オシロスコープ１１１の他に、調整器１２５を含む。一方、カラーＬＣＤ１２０は、治具接続Ｉ／Ｆ１０１の他に、治具接続Ｉ／Ｆ１２１を備えている。作業者１０５は、オシロスコープ１１１をカラーＬＣＤ１２０の治具接続Ｉ／Ｆ１０１へ接続するとともに、調整器１２５を治具接続Ｉ／Ｆ１２１へ接続する。作業者１０５は、オシロスコープ１１１の波形を見ながら、調整器１２５を手動操作する。調整器１２５の操作量は治具接続Ｉ／Ｆ１２１を介してシステムマイコン１３へ送られ、システムマイコン１３では、調整器１２５の操作量に対応するデータを液晶用映像信号処理ＩＣ１２へ送って、液晶用映像信号処理ＩＣ１２のレジスタ値を調整する。こうして、作業者１０５は、オシロスコープ１１１の測定値等が適正値になるように、調整器１２５を操作し、適正値になりしだい、調整器１２５の操作を終了する。
【０００７】
図１３のカラーＬＣＤ１３０では、調整用治具１３５は、輝度計１３６、汎用マイコン１３７、及びＩ／Ｆ１３８，１３９を備えている。作業者は、調整用治具１３５のＩ／Ｆ１３９とシステムマイコン１３とをケーブルで接続する。作業者は、信号発生器１０８からＲ，Ｇ，Ｂを１個ずつ出力させ（特許文献１の図１）、各々の場合の輝度を輝度計１３６により測定させる。輝度計１３６により測定された輝度データはＩ／Ｆ１３８を介して汎用マイコン１３７へ送られる。汎用マイコン１３７は、輝度計１３６からの輝度データが所望値となるように、制御信号をＩ／Ｆ１３９を介してシステムマイコン１３へ送る。システムマイコン１３は、汎用マイコン１３７からの入力信号に対応するデータを液晶用映像信号処理ＩＣ１２へ送り、液晶用映像信号処理ＩＣ１２のレジスタ値を調整する。汎用マイコン１３７は、調整処理中の色の映像信号について、輝度計１３６により測定された輝度データが適正値になると、該映像信号の調整処理を終了する。
【特許文献１】特開平５−６４０３７号公報
【発明の開示】
【発明が解決しようとする課題】
【０００８】
カラーＬＣＤ１００（図１１），１２０（図１２），１３０（図１３）におけるガンマ補正等の調整作業では、作業者は、信号発生器１０８及び調整用治具１１０，１２４，１３５をカラーＬＣＤに外付けする必要があり、外付け作業に手間と時間がかかる。また、カラーＬＣＤ１００，１２０の調整作業では、オシロスコープ１１１のばらつきに因る測定値のばらつきや、作業者の読取り値のばらつきが生じ、これが調整精度の低下原因となっている。カラーＬＣＤ１３０（図１３）の調整作業では、輝度計１３６のばらつきによる輝度計１３６の測定データのばらつきがあるとともに、作業者は、汎用マイコン１３７が各色についての調整処理を終了するごとに、信号発生器１０８の出力色を切り替える手間がかかる。
【０００９】
本発明の目的は、調整作業の能率化及び調整時間の短縮を図るとともに、調整値の精度を向上できる映像表示装置を提供することである。
【課題を解決するための手段】
【００１０】
本発明の映像表示装置は、原映像信号を入力されて該原映像信号を補正情報に基づき補正した補正映像信号を生成する映像信号補正部、及び補正映像信号に基づく映像画面を表示する映像表示部、を有している。そして、本発明の映像表示装置は、さらに、補正情報調整期間に、補正情報調整用の原映像信号を映像信号補正部に供給する調整用映像信号供給部、補正情報調整用の原映像信号に対して映像信号補正部が出力した補正映像信号の値が適正値となるように補正情報を調整する補正情報調整部、及び補正映像信号の値が適正値となった時の補正情報の復元情報を記憶する復元情報記憶部、を有している。
【発明の効果】
【００１１】
本発明によれば、作業者は映像表示装置の調整作業に当たり、調整用治具や信号発生器を映像表示装置へ一々接続したり、色ごとに信号発生器の出力補正情報の色を切り替えたりする手間を省略できる。また、輝度計やオシロスコープのばらつきによる測定値の誤差を排除して、調整精度を改善できる。
【発明を実施するための最良の形態】
【００１２】
図１はカラーＬＣＤ１０のハードウェア構成図である。カラーＬＣＤ１０は、ＯＳＤ・グラフィック表示用ＩＣ１１、液晶用映像信号処理ＩＣ１２、システムマイコン１３、ＴＦＴ型ＬＣＤ１４、不揮発性メモリ１５、タイミングコントローラ１６、及び同期分離ＩＣ１７を有している。液晶用映像信号処理ＩＣ１２は、ガンマ補正・ホワイトバランス調整部２２及びＶＣＯＭアンプ２３を有している。ガンマ補正・ホワイトバランス調整部２２は、ＯＳＤ・グラフィック表示用ＩＣ１１からＲ，Ｇ，Ｂの各信号を入力され、それらを対応のレジスタ（図示せず）の値に基づき補正したＶＲ，ＶＧ，ＶＢをＴＦＴ型ＬＣＤ１４へ出力する。ＶＣＯＭアンプ２３は、タイミングコントローラ１６からのＶＣＯＭ＿ＩＮを増幅して、ＶＣＯＭを生成する。ＴＦＴ型ＬＣＤ１４は、ＶＲ，ＶＧ，ＶＢ，ＶＣＯＭに基づき、各画面を生成して、表示する。不揮発性メモリ１５は、ＥＥＰＲＯＭと呼ばれているものである。
【００１３】
システムマイコン１３は、Ａ／Ｄ変換器２６、比較部２７及びＲＯＭ２８を備え、Ａ／Ｄ変換器２６は、ガンマ補正・ホワイトバランス調整部２２が出力しているアナログ形式のＶＲ，ＶＧ，ＶＢ，ＶＣＯＭの信号をＡ／Ｄ（アナログからデジタルへ）変換する。比較部２７は、Ｒ，Ｇ，Ｂ別に、ＶＲ，ＶＧ，ＶＢと、それらの適正値としてＲＯＭ２８から読み出した値とを比較し、両者が一致するように、液晶用映像信号処理ＩＣ１２の複数個のレジスタ（図示せず）の値を変更する。この結果、ガンマ補正・ホワイトバランス調整部２２におけるＲ−ＶＲ，Ｇ−ＶＧ，Ｂ−ＶＢ特性が適切なガンマ補正及びホワイトバランス等を反映するものに調整される。システムマイコン１３は、また、ＶＲ，ＶＧ，ＶＢと、それらの適正値としてＲＯＭ２８から読み出した値とが一致した時の液晶用映像信号処理ＩＣ１２の複数個のレジスタの値を復元する復元情報を不揮発性メモリ１５に記憶する。
【００１４】
タイミングコントローラ１６はＰＬＬ３０を有し、ＰＬＬ３０は、水平方向及び垂直方向の同期信号としてのＨＳＹ，ＶＳＹをＯＳＤ・グラフィック表示用ＩＣ１１へ送る。ＯＳＤ・グラフィック表示用ＩＣ１１は、ＨＳＹ，ＶＳＹに基づきＲ，Ｇ，Ｂの水平走査及び垂直走査を制御する。同期分離ＩＣ１７は、水平方向及び垂直方向の同期分離信号としてのＨＤ，ＶＤをシステムマイコン１３及びＰＬＬ３０へ送る。
【００１５】
カラーＬＣＤ１０は、それを購入したユーザの下では、次のように作動する。カラーＬＣＤ１０の電源が入になると、システムマイコン１３は、不揮発性メモリ１５から復元情報を読み出して、該復元情報に基づき液晶用映像信号処理ＩＣ１２のレジスタに補正情報を復元する。こうして、各レジスタに復元された補正情報は、該カラーＬＣＤ１０について工場調整時に、比較部２７におけるＶＲ，ＶＧ，ＶＢとそれらの適正値としてＲＯＭ２８から読み出した値とが一致した時の補正情報に一致する。液晶用映像信号処理ＩＣ１２は、復元されたレジスタ値に基づき、図示外から例えばＤＶＤ等の再生信号として液晶用映像信号処理ＩＣ１２へ入力される信号Ｒ，Ｇ，Ｂを補正し、これにより、適切なガンマ補正、ホワイトバランス調整、及びＶＣＯＭ調整が行われた信号ＶＲ，ＶＧ，ＶＢ，ＶＣＯＭを出力する。ＴＦＴ型ＬＣＤ１４は、これら信号ＶＲ，ＶＧ，ＶＢ，ＶＣＯＭを入力され、画面を生成、表示する。なお、該液晶用映像信号処理ＩＣ１２は、信号Ｒ，Ｇ，Ｂとは別のカラー信号としてのコンポジット信号も入力可能になっている。
【００１６】
図２は液晶用映像信号処理ＩＣ１２の補正特性調整期間のＴＦＴ型ＬＣＤ１４における画像パターンを示している。なお、図２では、本発明に係る画像パターン例（上半部）と共に、従来の画像パターン例（下半部）も示している。本発明に係る画像パターン例は、ライン（水平方向走査線）２０〜１６３の範囲のみ示しており、その他のライン範囲の画像パターンは任意でよい。従来の画像パターン例では、水平方向へ８分割され（１〜６０、６１〜１２０、・・・、４２１〜４８０。数字は水平方向のドット番号。）、各水平方向分割範囲は、黒から白までの輝度レベルを８段階に分けて、各段階の輝度レベルを表示している。
【００１７】
これに対して、本発明に係る画像パターン例では、ライン２０〜１６３の垂直方向範囲を８分割し（２０〜３７、３８〜５５、・・・、１４６〜１６３）、各垂直方向分割範囲は、黒から白までの輝度レベルを８段階に分けて、各段階の輝度レベルを表示している。１ｓｔｅｐの輝度は黒に対応し、８ｓｔｅｐの輝度は白に対応する。各ライン番号のラインは、緑、赤、青のラインを統合したラインである。
【００１８】
図３は液晶用映像信号処理ＩＣ１２の補正特性調整期間のカラーＬＣＤ１０（図１）の各信号の時間変化を示している。なお、図３はＮＴＳＣ方式に対応している。また、ＶＣＯＭ−ＩＮは図１におけるタイミングコントローラ１６からのＶＣＯＭアンプ２３の入力信号のことである。垂直水平タイミングにおける時間軸方向（横軸方向）の数字１，１０，２０，３０，４０，・・・はライン番号に対応している。水平表示期間に示しているように、サンプリング可能期間は、各ラインの水平方向中央範囲の３０．０μｓｅｃに設定している。ＴＦＴ型ＬＣＤ１４は交流駆動であるので、ＶＣＯＭ＿ＩＮは、基準レベル（２．５Ｖ）に対して奇数ラインと偶数ラインとで反転する。絶対値としての｜基準レベル−ＶＣＯＭ＿ＩＮ｜がＴＦＴ型ＬＣＤ１４における各ラインの輝度に対応し、絶対値が小さい程、黒から白に近づく。
【００１９】
下記（ｉ１）〜（ｉ８）は調整項目と調整波形との関係を示している。液晶用映像信号処理ＩＣ１２の補正特性に関して調整項目は８個、存在する。
（ｉ１）ＲＧＢ＿ＡＭＰＬＩＴＵＤＥ：ＶＧ
（ｉ２）ＢＲＩＧＨＴ：ＶＧ
（ｉ３）ＧＡＭＭＡ１：ＶＧ
（ｉ４）ＧＡＭＭＡ２：ＶＧ
（ｉ５）ＣＯＮＴ−ＲＧＢ２：ＶＧ
（ｉ６）ＳＵＢ−ＢＲＩＧＨＴ  Ｒ：ＶＲ
（ｉ７）ＳＵＢ−ＢＲＩＧＨＴ  Ｂ：ＶＢ
（ｉ８）ＣＯＭ  ＡＭＰＬＩＴＵＤＥ：ＶＣＯＭ
【００２０】
自動調整用プログラムはシステムマイコン１３のＲＯＭ２８に格納されており、作業者が自動調整開始ボタン（図示せず）を押下するのに伴い、システムマイコン１３は、該自動調整用プログラムを実行する。該自動調整用プログラムの実行中、システムマイコン１３は、補正対象の補正情報ごとに、Ａ／Ｄ変換器２６におけるＡＤ変換のために選択するアナログ信号の種類（ＶＲ，ＶＧ，ＶＢ，ＶＣＯＭ）及びライン番号を切り替える。（ｉ１）〜（ｉ５）の処理では、ＶＧが選択され、（ｉ６）及び（ｉ７）の処理では、それぞれＶＲ，ＶＢが選択される。
【００２１】
図４はγカーブを示している。γカーブは、例えばＢＲＩＧＨＴ、ＧＡＭＭＡ１、ＧＡＭＭＡ２及びＣＯＮＴ−ＲＧＢ２の４個の因子から決定される。ＢＲＩＧＨＴは主にγカーブの黒レベル側の特性を決める。ＣＯＮＴ−ＲＧＢ２（ＣＯＮＴＲＡＳＴ）は主にγカーブの白レベル側の特性を決める。ＧＡＭＭ１は、γカーブの黒レベル側の変曲点を決める。ＧＡＭＭＡ２は、γカーブの白レベル側の変曲点を決める。
【００２２】
ＲＧＢ＿ＡＭＰＬＩＴＵＤＥ（ＲＧＢ振幅調整）の調整方法について説明する。図５はＲＧＢ＿ＡＭＰＬＩＴＵＤＥの調整方法の説明図である。ＲＧＢ＿ＡＭＰＬＩＴＵＤＥの調整は、２ｓｔｅｐ（図２参照）のＶＧの電圧値をサンプリングし、該電圧値を最適値に合わせることを内容とする。具体的には、次のＳ５０１〜Ｓ５０６の手順を順番に実施する。なお、２ｓｔｅｐ（図２の第１列参照）目の正負判定（Ｖ＿ＣＯＭが基準レベルの２．５Ｖより高いか低いかによりそれぞれ正及び負と判定する。）は４１Ｈ、サンプリングは４２〜５１Ｈで行う。
【００２３】
Ｓ５０１：ＶＤ（図３の垂直水平タイミング参照）パルス前縁より、ＨＤパルスを２ｓｔｅｐ目の４１Ｈの正負判定までカウントする。
Ｓ５０２：４１Ｈ目のＶＣＯＭ＿ＩＮパルスが、２．５Ｖより上か下かを確認する。
Ｓ５０３−１（４１Ｈ目のＶＣＯＭ＿ＩＮが２．５Ｖ以下の場合）：４２，４４，４６，４８，５０の計５個のＨでは、ＶＧの電圧値ｂを５回サンプリングし、また、４３，４５，４７，４９，５１の計５個のＨでは、ＶＧの電圧値ａを５回サンプリングする。
Ｓ５０３−２（４１Ｈ目のＶＣＯＭ＿ＩＮが２．５Ｖ以上の場合）：４２，４４，４６，４８，５０の計５個のＨでは、ＬＣＤ＿Ｇの電圧値ａを５回サンプリングし、また、４３，４５，４７，４９，５１の計５個のＨでは、ＬＣＤ＿Ｇの電圧値ｂを５回サンプリングする。なお、サンプリングを行うタイミングは、Ｈの前縁より、３５．０μｓｅｃ±１５とする）
Ｓ５０４：サンプリングした電圧値ａ，ｂのデータ（５回）は、最大値，最小値を除き、平均する。
Ｓ５０５：平均電圧値ｂ−平均電圧値ａで、ＬＣＤ＿Ｇの振幅を算出する。
Ｓ５０６：ＲＧＢ  ＡＭＰＬＩＴＵＤＥのレジスタ値を調整して、Ｓ５０５の値を最適値に合わせる（レジスタ値の調整により、最適値が得られたか否かは、今回のフィールドに対して次のフィールドにおけるＳ５０５により判明する。）。
【００２４】
ＢＲＩＧＨＴ，ＧＡＭＭＡ１，ＧＡＭＭＡ２，ＣＯＮＴ−ＲＧＢＲＧＢ＿ＡＭＰＬＩＴＵＤＥ（ガンマ補正）の調整方法について説明する。図６はＢＲＩＧＨＴ，ＧＡＭＭＡ１，ＧＡＭＭＡ２，ＣＯＮＴ−ＲＧＢＲＧＢ＿ＡＭＰＬＩＴＵＤＥの調整方法の説明図である。これらの調整は、３ｓｔｅｐ目の電圧値をサンプリングし、該電圧値を最適値に合わせることを内容とする。具体的には、次のＳ５２１〜Ｓ５２６の手順を順番に実施する。なお、３ｓｔｅｐ目の正負判定は、５９Ｈ、サンプリングは６０〜６９Ｈで行う。
【００２５】
Ｓ５２１：ＶＤパルス前縁より、ＨＤパルスを３ｓｔｅｐ目の５９Ｈまでの正負判定をカウントする。
Ｓ５２２：５９Ｈ目のＶＣＯＭ＿ＩＮパルスが、２．５Ｖより上か下かを確認する。
Ｓ５２３−１（５９Ｈ目のＶＣＯＭ＿ＩＮが２．５Ｖ以下の場合）：６１，６３，６５，６７，６９の計５個のＨでは、ＶＧの電圧値ｃを５回サンプリングする。
Ｓ５２３−２（５９Ｈ目のＶＣＯＭ＿ＩＮが２．５Ｖ以上の場合）：６０，６２，６４，６６，６８の計５個のＨでは、ＶＧの電圧値ｃを５回サンプリングする。なお、サンプリングを行うタイミングは、Ｈの前縁より、３５．０μｓｅｃ±１５とする。
Ｓ５２４：サンプリングした電圧値ｃのデータ（５回）は、最大値，最小値を除き平均する。
Ｓ５２５：平均電圧値ｃ−平均電圧値ａで、ＬＣＤ＿Ｇの振幅を算出する。
Ｓ５２６：ＢＲＩＧＨＴ，ＧＡＭＭＡ１等のレジスタ値を調整して、Ｓ５２５での値を最適値に合わせる（レジスタ値の調整により、最適値が得られたか否かは、今回のフィールドに対して次のフィールドにおけるＳ５２５により判明する。）。
【００２６】
ＳＵＢ−ＢＲＩＧＨＴ  Ｒ及びＳＵＢ−ＢＲＩＧＨＴ  Ｂ（ホワイトバランス）の調整方法について説明する。図７はＳＵＢ−ＢＲＩＧＨＴ  Ｒ及びＳＵＢ−ＢＲＩＧＨＴ  Ｂの調整方法の説明図である。これらの調整は、８ｓｔｅｐ目でＳＵＢ−ＢＲＩＧＨＴ  Ｒの電圧値をサンプリングし、最適値に合わせることを内容とする。具体的には、次のＳ５３１〜Ｓ５３６の手順を順番に実施する。なお、８ｓｔｅｐ目の正負判定は１４９Ｈ、サンプリングは１５０〜１５９Ｈで行う。
【００２７】
Ｓ５３１：ＶＤ＿ＩＮパルス前縁より、ＨＤ＿ＩＮパルスを８ｓｔｅｐ目の１４９Ｈまでの正負判定をカウントする。
Ｓ５３２：１４９Ｈ目のＶＣＯＭ＿ＩＮパルスが、２．５Ｖより上か下かを確認する。
Ｓ５３３−１（１４９Ｈ目のＶＣＯＭ＿ＩＮが２．５Ｖ以下の場合）：１５１，１５３，１５５，１５７，１５９の計５個のＨでは、ＬＣＤ＿Ｇの電圧値ｄを５回サンプリングする。
Ｓ５３３−２（１４９Ｈ目のＶＣＯＭ＿ＩＮが２．５Ｖ以上の場合）：１５０，１５２，１５４，１５６，１５８の計５個のＨでは、ＬＣＤ＿Ｇの電圧値ｄを５回サンプリングする。なお、サンプリングを行うタイミングは、Ｈの前縁より、３５．０μｓｅｃ±１５とする。
Ｓ５３４：サンプリングした電圧値ｄのデータ（５回）は、最大値，最小値を除き平均する。
Ｓ５３５：平均電圧値ｄ＋Ｖｓｂｒで、ＳＵＢ−ＢＲＩＧＨＴ  Ｒの最適値を算出する。
Ｓ５３６：ＳＵＢ−ＢＲＩＧＨＴ  Ｒの設定を調整して、Ｓ５３５での値を最適値に合わせる（レジスタ値の調整により、最適値が得られたか否かは、今回のフィールドに対して次のフィールドにおけるＳ５３５により判明する。）。
【００２８】
ＶＣＯＭ＿ＩＮ（ＶＣＯＭ振幅）の調整方法について説明する。図８はＶＣＯＭ＿ＩＮの調整方法の説明図である。ＶＣＯＭ＿ＩＮの調整は、ＶＣＯＭ＿ＩＮの電圧値をサンプリングし、最適値に合わせることを内容とする。具体的には、次のＳ５５１〜Ｓ５５５の手順を順番に実施する。なお、２ｓｔｅｐ目の正負判定は４１Ｈ、サンプリングは４２〜５０Ｈで行う。
【００２９】
Ｓ５５１：ＶＤ＿ＩＮパルス前縁より、ＨＤ＿ＩＮパルスを２ｓｔｅｐ目の正負判定４１Ｈまでカウントする。
Ｓ５５２：４１Ｈ目のＶＣＯＭ＿ＩＮパルスが、２．５Ｖより上か下かを確認する。
Ｓ５５３−１（４１Ｈ目のＶＣＯＭ＿ＩＮが２．５Ｖ以下の場合）：４２，４４，４６，４８，５０の計５個のＨでは、ＶＣＯＭ＿ＩＮの電圧値ｅを５回サンプリングし、４３，４５，４７，４９，５１の計５個のＨでは、ＶＣＯＭ＿ＩＮの電圧値ｆを５回サンプリングする。
Ｓ５５３−２（４１Ｈ目のＶＣＯＭ＿ＩＮが２．５Ｖ以上の場合）：４２，４４，４６，４８，５０の計５個のＨでは、ＬＣＤ＿Ｇの電圧値ｆを５回サンプリングし、４３，４５，４７，４９，５１の計５個のＨでは、ＬＣＤ＿Ｇの電圧値ｅを５回サンプリングする。サンプリングを行うタイミングは、Ｈの前縁より、３５．０μｓｅｃ±１５とする。
Ｓ５５４：サンプリングした電圧値ｆ，ｅのデータ（５回）は、最大値，最小値を除き平均する。
Ｓ５５５：平均電圧値ｅ−平均電圧値ｆで、ＶＣＯＭ＿ＩＮの振幅を算出する。
Ｓ５５６：ＣＯＭ  ＡＭＰＬＩＴＵＤＥの設定を調整して、Ｓ５５５での値を調整値に合わせる（調整値に合わせられたか否かは、今回のフィールドに対して次のフィールドにおけるＳ５５５により判明する。）。
【００３０】
図９はガンマ補正等自動調整方法４０のフローチャートである。工場において、カラーＬＣＤ１０の組立作業後、調整作業者は、カラーＬＣＤ１０の電源をオンにするとともに、カラーＬＣＤ１０の自動調整開始ボタン（図示せず）を押す（Ｓ４０１）。これに伴い、ＴＦＴ型ＬＣＤ１４には、図２に示す調整用映像が表示される（Ｓ４０２）。Ｓ４０３では、最適値がシステムマイコン１３のＲＯＭ２８から読み出される。Ｓ４０４では、システムマイコン１３は、液晶用映像信号処理ＩＣ１２のレジスタ値を変更する。Ｓ４０５では、ガンマ補正・ホワイトバランス調整部２２が、ＯＳＤ・グラフィック表示用ＩＣ１１からの信号Ｇ（緑）をレジスタ値に基づき補正した信号ＶＧを生成し、ＶＧは液晶用映像信号処理ＩＣ１２からＴＦＴ型ＬＣＤ１４へ出力される。Ｓ４０５では、また、システムマイコン１３がＶＧをサンプリングする。Ｓ４０６では、最適値としての調整値とサンプリングデータとを比較し、Ｓ４０７では、両者が一致するか否かを判定する。Ｓ４０７の判定が否であれば、Ｓ４０４へ戻り、正であれば、Ｓ４０７へ進む。こうして、サンプリングデータが最適値になると、レジスタ値の変更を終了して、Ｓ４０７においてレジスタ値を不揮発メモリに格納する。
【００３１】
図１０は映像表示装置６０のブロック図である。映像表示装置６０は、映像信号補正部６１、映像表示部６２、調整用映像信号供給部６３、補正情報調整部６４及び復元情報記憶部６５を有している。映像表示装置６０の具体例は前述のカラーＬＣＤ１０（図１）である。同様に、映像信号補正部６１及び映像表示部６２の具体例は前述の液晶用映像信号処理ＩＣ１２及びＴＦＴ型ＬＣＤ１４であり、調整用映像信号供給部６３の具体例は前述のＯＳＤ・グラフィック表示用ＩＣ１１であり、補正情報調整部６４の具体例は前述のシステムマイコン１３であり、復元情報記憶部６５の具体例は前述の不揮発性メモリ１５である。カラーＬＣＤ１０では、補正情報は液晶用映像信号処理ＩＣ１２内のレジスタ（図示せず）のデータであり、復元情報は不揮発性メモリ１５における所定アドレスのデータである。
【００３２】
映像信号補正部６１は、原映像信号を入力されて該原映像信号を補正情報に基づき補正した補正映像信号を生成する。映像表示部６２は、補正映像信号に基づく映像画面を表示する。調整用映像信号供給部６３は、補正情報調整期間に、補正情報調整用の原映像信号を映像信号補正部に供給する。補正情報調整部６４は、補正情報調整用の原映像信号に対して映像信号補正部が出力した補正映像信号の値が適正値となるように補正情報を調整する。復元情報記憶部６５は、補正映像信号の値が適正値となった時の補正情報の復元情報を記憶する。
【００３３】
映像表示装置６０は、ＬＣＤ（液晶ディスプレイ）に限定されず、エレクトロルミネッセンスやプラズマディスプレイであってもよい。映像表示装置６０は、また、カラーの映像表示装置に限定されず、モノクロの映像表示装置であってもよい。映像表示装置６０は、特に、カーナビゲーション用のものを含む。
【００３４】
復元情報記憶部６５は、不揮発性型であり、映像表示装置６０の電源が切になっても、復元情報等の記憶データを保持できる。これに対し、補正情報は、典型的にはレジスタに記憶され、レジスタのデータは、映像表示装置６０の電源が切になると、消失してしまう。復元情報を不揮発性型メモリに記憶させることにより、レジスタの消失した補正情報を、復元情報を使って、適宜、復元できる。
【００３５】
補正情報の調整は、例えば映像表示装置６０の工場出荷前に、行われる。補正情報の調整は、調整作業者が、例えば、映像表示装置６０の所定の操作部材（図示せず）を操作することにより、開始される。なお、映像表示装置６０を購入したユーザも、適宜、該操作部材を操作して、補正情報の調整を行えるようになっていてもよい。
【００３６】
映像表示装置６０がカラーの映像表示装置である場合、補正映像信号は、色ごとに存在するので、補正情報調整部６４は、調整する補正情報によっては、対応の色の補正映像信号が適正値と比較されるように、補正映像信号を選択する必要がある。補正情報調整部６４は、また、調整対象の補正情報ごとに、対応の輝度の補正映像信号を選択する必要がある。
【００３７】
こうして、調整作業者は、映像表示装置６０へ調整用治具や信号発生器を接続したり、オシロスコープや輝度計の測定値を目視で読み込んだり、信号発生器の出力補正情報記憶部の色を切り替えたりする手間を省略して、映像表示装置の補正情報の調整を行うことができる。また、オシロスコープや輝度計のばらつきに因る測定誤差を排除して、調整精度を向上することができる。
【００３８】
映像表示装置６０の構成をさらに具体的に説明する。
【００３９】
補正情報とは、ＲＧＢの振幅、ガンマ補正、ホワイトバランス、及び／又はＶＣＯＭの振幅に係る補正情報である。補正情報が、ＲＧＢの振幅、ガンマ補正、ホワイトバランス、及びＶＣＯＭの振幅に係る補正情報の全部を含む場合には、補正情報調整部６４は、ＲＧＢの振幅、ガンマ補正、ホワイトバランス、及びＶＣＯＭの振幅の順番に補正情報の調整を行う。
【００４０】
調整用映像信号供給部６３として、ＯＳＤ用又はグラフィック用の映像信号を出力する映像信号出力部が利用される。映像信号出力部の一例はＯＳＤ・グラフィック表示用ＩＣ１１（図１）である。このようなＯＳＤ・グラフィック表示用ＩＣ１１は、一般的な映像表示装置６０に装備済みであるので、調整用の原映像信号としてい特別の調整用映像信号供給部を映像表示装置６０に追加する必要を排除できる。
【００４１】
調整用の原映像信号の生成期間では、映像表示部６２の映像画面において、上下方向へ連続する複数個の水平走査ラインを１個のライン群として、１個の映像画面について複数個のライン群を設定し、各ライン群には、それぞれ異なる輝度レベルを割り当てている。補正情報調整用の補正映像信号における各ライン群の水平走査ラインは、該ライン群に割り当てられている輝度レベルを維持するものとなっている。調整用の原映像信号の生成期間における映像表示部６２の映像画面の一例は図２のもの（ライン２０〜１６３）である。これにより、各水平走査ラインに、十分なサンプリング可能期間が確保され、補正映像信号について、支障のないサンプリングが行なわれる。
【００４２】
映像信号補正部６１及び補正情報調整部６４はそれぞれ別体の第１及び第２の半導体チップに含まれる。復元情報記憶部６５は、第１及び第２の半導体チップとは別体の不揮発性メモリである。補正情報は、第１の半導体チップ内のレジスタのデータとして存在する。補正情報調整６４は、ユーザにおける映像表示装置６０の使用時には、不揮発性メモリの復元情報に基づき、レジスタに補正情報を復元する。
【００４３】
映像表示装置６０における第１及び第２の半導体チップの一例は、カラーＬＣＤ１０では、それぞれ液晶用映像信号処理ＩＣ１２及びシステムマイコン１３である。映像表示装置６０における不揮発性メモリの一例は、カラーＬＣＤ１０では、不揮発性メモリ１５である。
【００４４】
本発明を最良の形態について説明したが、本発明は、これに限定されず、要旨の範囲内で種々の形態により実施可能であることは言うまでもない。
【図面の簡単な説明】
【００４５】
【図１】カラーＬＣＤのハードウェア構成図である。
【図２】液晶用映像信号処理ＩＣの補正特性調整期間のＴＦＴ型ＬＣＤにおける画像パターンを示す図である。
【図３】液晶用映像信号処理ＩＣの補正特性調整期間のカラーＬＣＤ（図１）の各信号の時間変化を示す図である。
【図４】γカーブを示す図である。
【図５】ＲＧＢ＿ＡＭＰＬＩＴＵＤＥの調整方法の説明図である。
【図６】ＢＲＩＧＨＴ，ＧＡＭＭＡ，ＧＡＭＭＡ２，ＣＯＮＴ−ＲＧＢＲＧＢ＿ＡＭＰＬＩＴＵＤＥの調整方法の説明図である。
【図７】ＳＵＢ−ＢＲＩＧＨＴ  Ｒ及びＳＵＢ−ＢＲＩＧＨＴ  Ｂの調整方法の説明図である。
【００４６】
【図８】ＶＣＯＭ＿ＩＮの調整方法の説明図である。
【図９】ガンマ補正等自動調整方法のフローチャートである。
【図１０】映像表示装置のブロック図である。
【図１１】第１の従来例におけるカラーＬＣＤをその調整作業装置と共に示す図である。
【図１２】第２の従来例におけるカラーＬＣＤをその調整作業装置と共に示す図である。
【図１３】第３の従来例におけるカラーＬＣＤをその調整作業装置と共に示す図である。
【符号の説明】
【００４７】
６０：映像表示装置、６１；映像信号補正部、６２：映像表示部、６３：調整用映像信号供給部、６４：補正情報調整部、６５：復元情報記憶部。
【図１】
2006322972.tif 000003
【図２】
2006322972.tif 000004
【図３】
2006322972.tif 000005
【図４】
2006322972.tif 000006
【図５】
2006322972.tif 000007
【図６】
2006322972.tif 000008
【図７】
2006322972.tif 000009
【図８】
2006322972.tif 000010
【図９】
2006322972.tif 000011
【図１０】
2006322972.tif 000012
【図１１】
2006322972.tif 000013
【図１２】
2006322972.tif 000014
【図１３】
2006322972.tif 000015